(57)【要約】【課題】ヒータを加熱する際に要する消費エネルギーを抑えつつ粒子状物質の燃焼が効率よく行えるうえ、パティキュレートフィルタも簡単に取り付けることができるフィルタ再生装置を提供する。【解決手段】本発明のフィルタ再生装置１００は、パティキュレートフィルタＦが載置される筐体本体部１０１と、筐体本体部１０１に対して揺動して上部開口１１１を開閉する筐体カバー部１１３と、筐体カバー部１１３に対して揺動可能且つ上下動可能に支持され筐体カバー部１１３を閉じた際にパティキュレートフィルタＦに載置される内側カバー部１１７と、筐体カバー部１１３を閉じた際にパティキュレートフィルタＦの他端部に対向し、内側カバー部１１７との間で排出口１１９に通じる排気路を区画形成する内側蓋部１２３を有する。【選択図】図５
2019190455.tif 000002
【特許請求の範囲】
【請求項１】
機器から排出される排気ガス中の粒子状物質を捕集したパティキュレートフィルタを取り付け、ヒータによって加熱して該パティキュレートフィルタの再生を行うフィルタ再生装置であって、
前記パティキュレートフィルタを取り付けるための上部開口を有し、該パティキュレートフィルタの一端部が前記ヒータに対向する姿勢で該パティキュレートフィルタが載置される筐体本体部と、
前記筐体本体部に対して揺動して、前記上部開口を開閉する筐体カバー部と、
前記ヒータによって加熱された前記パティキュレートフィルタの燃焼ガスを排出する排出口を有し、前記筐体カバー部に対して揺動可能且つ上下動可能に支持され該筐体カバー部を閉じた際に該パティキュレートフィルタに載置される内側カバー部と、
前記内側カバー部の内部に設けられ、前記筐体カバー部を閉じた際に前記パティキュレートフィルタの他端部に対向し、該内側カバー部との間で前記排出口に通じる排気路を区画形成する内側蓋部を有するフィルタ再生装置。
【請求項２】
前記内側蓋部は、断熱材を含んで構成される請求項１に記載のフィルタ再生装置。
【請求項３】
機器から排出される排気ガス中の粒子状物質を捕集したパティキュレートフィルタを取り付け、ヒータによって加熱して該パティキュレートフィルタの再生を行うフィルタ再生装置であって、
前記パティキュレートフィルタを取り付けるための上部開口を有し、該パティキュレートフィルタの一端部が前記ヒータに対向する姿勢で該パティキュレートフィルタが載置される筐体本体部と、
前記筐体本体部に対して揺動して、前記上部開口を開閉する筐体カバー部と、
前記ヒータによって加熱された前記パティキュレートフィルタの燃焼ガスを排出する排出口を有し、前記筐体カバー部に対して揺動可能且つ上下動可能に支持され該筐体カバー部を閉じた際に該パティキュレートフィルタに載置される内側カバー部と、
前記内側カバー部の内部に設けられ、前記筐体カバー部を閉じた際に前記パティキュレートフィルタの他端部に対向する他のヒータを有するフィルタ再生装置。
【請求項４】
前記内側カバー部は、筒状をなすとともに上部の開口を前記排出口とする排出筒を有し、
前記筐体カバー部は、前記排出筒を挿通させる排出筒用開口と、該排出筒用開口を挿通させた該排出筒と並んで延在するブラケットとを有し、
前記排出筒及び前記ブラケットの何れか一方は軸部を備え、何れか他方は、該軸部を挿通させるとともに上下方向の内寸が該軸部の外寸よりも大であって、該筐体カバー部を開いた際に該軸部に係合して該内側カバー部を揺動可能に支持する穴部を備える請求項１〜３の何れか一項に記載のフィルタ再生装置。
【請求項５】
前記内側カバー部及び前記筐体カバー部の何れか一方は、該筐体カバー部を開いた際に何れか他方に当接して該筐体カバー部に対する該内側カバー部の傾きを抑制するストッパーを備える請求項１〜４の何れか一項に記載のフィルタ再生装置。
【発明の詳細な説明】
【技術分野】
【０００１】
本発明は、例えばディーゼルエンジン等の排気ガスに含まれる粒子状物質を捕集することが可能なパティキュレートフィルタの技術に関連するものであって、特に、ヒータで加熱することによってこのパティキュレートフィルタの再生を行うフィルタ再生装置に関する。
【背景技術】
【０００２】
ディーゼルエンジンをはじめとする各種の機器から排出される排気ガスを浄化する排気浄化装置においては、排気ガスに含まれる粒子状物質を捕集することが可能なパティキュレートフィルタが使用されている。パティキュレートフィルタは使用を継続するにつれて目詰まりするが、目詰まりしたパティキュレートフィルタは、例えば特許文献１に示すようなフィルタ再生装置によって再生することができる。
【０００３】
このようなフィルタ再生装置は、特許文献１に示されるようにヒータを備えている。そしてフィルタ再生装置に取り付けたパティキュレートフィルタをヒータによって加熱し、その熱により捕集した粒子状物質を酸化、燃焼させることによって、パティキュレートフィルタから除去することができる。
【０００４】
ここで、特許文献１のフィルタ再生装置におけるパティキュレートフィルタは、同文献の図３に示されるように、パティキュレートフィルタの一端部（例えばパティキュレートフィルタを機器に取り付けている際に排気ガスが導入される側の端部）がヒータに対向する姿勢で取り付けられている。またこの状態において、パティキュレートフィルタの他端部（パティキュレートフィルタを機器に取り付けている際に排気ガスを導出する側の端部）は、内側蓋部（特許文献１では「台」と称している）によって覆われている。このような内側蓋部を設けることにより、パティキュレートフィルタの一端部をヒータで加熱した際に他端部からの放熱を抑えることができ、温度が下がりにくくなる。このため、粒子状物質の燃焼が効率よく行えるうえ、ヒータを加熱する際に要する消費エネルギーも抑えることができる。
【先行技術文献】
【特許文献】
【０００５】
【特許文献１】特開２００４−３６０６４８号公報
【発明の概要】
【発明が解決しようとする課題】
【０００６】
ところで従来のフィルタ再生装置では、ヒータに対向するようにパティキュレートフィルタを載置した後、内側蓋部をパティキュレートフィルタの上に載せる必要がある。また、内側蓋部をパティキュレートフィルタの上に載せた後は、これらが取り囲まれるように筐体を取り付けなければならない。このように従来のフィルタ再生装置は、パティキュレートフィルタの取り付けにあたって内側蓋部や筐体をセットしなければならず、取り付け作業に手間を要している。
【０００７】
本発明はこのような問題点を解決することを課題とするものであり、ヒータを加熱する際に要する消費エネルギーを抑えつつ粒子状物質の燃焼が効率よく行えるうえ、パティキュレートフィルタも簡単に取り付けることができるフィルタ再生装置を提供することを目的とする。
【課題を解決するための手段】
【０００８】
本発明は、機器から排出される排気ガス中の粒子状物質を捕集したパティキュレートフィルタを取り付け、ヒータによって加熱して該パティキュレートフィルタの再生を行うフィルタ再生装置であって、前記パティキュレートフィルタを取り付けるための上部開口を有し、該パティキュレートフィルタの一端部が前記ヒータに対向する姿勢で該パティキュレートフィルタが載置される筐体本体部と、前記筐体本体部に対して揺動して、前記上部開口を開閉する筐体カバー部と、前記ヒータによって加熱された前記パティキュレートフィルタの燃焼ガスを排出する排出口を有し、前記筐体カバー部に対して揺動可能且つ上下動可能に支持され該筐体カバー部を閉じた際に該パティキュレートフィルタに載置される内側カバー部と、前記内側カバー部の内部に設けられ、前記筐体カバー部を閉じた際に前記パティキュレートフィルタの他端部に対向し、該内側カバー部との間で前記排出口に通じる排気路を区画形成する内側蓋部を有するフィルタ再生装置である。
【０００９】
このフィルタ再生装置において、前記内側蓋部は、断熱材を含んで構成されることが好ましい。
【００１０】
また本発明は、機器から排出される排気ガス中の粒子状物質を捕集したパティキュレートフィルタを取り付け、ヒータによって加熱して該パティキュレートフィルタの再生を行うフィルタ再生装置であって、前記パティキュレートフィルタを取り付けるための上部開口を有し、該パティキュレートフィルタの一端部が前記ヒータに対向する姿勢で該パティキュレートフィルタが載置される筐体本体部と、前記筐体本体部に対して揺動して、前記上部開口を開閉する筐体カバー部と、前記ヒータによって加熱された前記パティキュレートフィルタの燃焼ガスを排出する排出口を有し、前記筐体カバー部に対して揺動可能且つ上下動可能に支持され該筐体カバー部を閉じた際に該パティキュレートフィルタに載置される内側カバー部と、前記内側カバー部の内部に設けられ、前記筐体カバー部を閉じた際に前記パティキュレートフィルタの他端部に対向する他のヒータを有するフィルタ再生装置でもある。
【００１１】
これらのフィルタ再生装置において、前記内側カバー部は、筒状をなすとともに上部の開口を前記排出口とする排出筒を有し、前記筐体カバー部は、前記排出筒を挿通させる排出筒用開口と、該排出筒用開口を挿通させた該排出筒と並んで延在するブラケットとを有し、前記排出筒及び前記ブラケットの何れか一方は軸部を備え、何れか他方は、該軸部を挿通させるとともに上下方向の内寸が該軸部の外寸よりも大であって、該筐体カバー部を開いた際に該軸部に係合して該内側カバー部を揺動可能に支持する穴部を備えることが好ましい。
【００１２】
そして前記内側カバー部及び前記筐体カバー部の何れか一方は、該筐体カバー部を開いた際に何れか他方に当接して該筐体カバー部に対する該内側カバー部の傾きを抑制するストッパーを備えることが好ましい。
【発明の効果】
【００１３】
本発明のフィルタ再生装置では、筐体本体部にパティキュレートフィルタを載置した後、筐体カバー部を閉じればパティキュレートフィルタの取り付けが完了するため、手間無く簡単に取り付けを行うことができる。また、パティキュレートフィルタを取り付けた際、その一端部はヒータに対向する一方、その他端部は内側蓋部に対向するため、ヒータによって加熱した際の放熱が抑えられ、粒子状物質を効率よく燃焼することができる。なおパティキュレートフィルタは、製造時における寸法のばらつきによって大きさに固体差があるうえ、加熱時の熱膨張等によっても大きさが変動する。一方、本発明のフィルタ再生装置において、筐体カバー部を閉じた際にパティキュレートフィルタに載置される内側カバー部は、筐体カバー部に対して揺動可能且つ上下動可能に支持されていて、この支持構造でもって、パティキュレートフィルタの大きさの違いを吸収することができるため、個体差や過熱状況の影響を受けることがない。
【００１４】
また、断熱材を含んで内側蓋部を構成する場合は、ヒータによって加熱した際の放熱が更に抑えられるため、粒子状物質をより効果的に燃焼することができる。
【００１５】
上述したヒータによって粒子状物質が燃焼される際、この粒子状物質にオイルや未燃の燃焼成分が含まれていると、排出される燃焼ガスが白煙となったり臭いを伴ったりすることがあるが、パティキュレートフィルタの他端部に対向する他のヒータを用いることによって、白煙や臭いの原因になる成分を再加熱して燃焼させてこれらの不具合を低減させることができる。また他のヒータによって、粒子状物質の燃焼もより効率よく行うことができる。
【００１６】
また、内側カバー部に上述した排出筒を設け、筐体カバー部に上述した排出筒用開口を設ける場合は、ヒータで加熱されたパティキュレートフィルタの燃焼ガスを外界に向けて確実に排出することができる。また、上述した軸部と穴部を設ける場合は、筐体カバー部に対して内側カバー部を揺動可能且つ上下動可能に支持することが簡単な構成で実現できる。
【００１７】
なお、筐体カバー部に対して内側カバー部を揺動可能且つ上下動可能に支持する場合において、筐体カバー部を開閉する際に内側カバー部が大きく移動すると、他の部材に衝突して破損等につながることがあるが、内側カバー部及び筐体カバー部の何れか一方に上述したストッパーを設ける場合は、筐体カバー部を開閉する最中に内側カバー部が大きく傾くことがないため、このような不具合を有効に防止することができる。
【図面の簡単な説明】
【００１８】
【図１】本発明に従うフィルタ再生装置の一実施形態を示した斜視図である。
【図２】図１に示したフィルタ再生装置の平面図と正面図である。
【図３】図１に示すフィルタ再生装置を３台並べた状態について示した図である。
【図４】図２に示したＡ−Ａに沿う断面図である。
【図５】図２に示したＢ−Ｂに沿う断面図である。
【図６】パティキュレートフィルタを内側収容部に挿入した後、筐体カバー部を閉じる状況について示した図である。
【図７】図６に示した状態から更に筐体カバー部を閉じた状態について示した図である。
【図８】（ａ）は本発明に従うフィルタ再生装置の他の実施形態を、図５に準じて示した断面図であって、（ｂ）はその変形例である。
【発明を実施するための形態】
【００１９】
以下、図面を参照しながら、本発明に従うフィルタ再生装置の一実施形態について説明する。なお、本明細書等において「上」とは、図１、図２に示すようにタイヤ（符号１０３）に対してハンドル（符号１０４）が位置する側であり、「下」とはその逆側である。また「前」とは、操作部（符号１０２）やファン（符号１０６）が位置する側であり、「後」とはその逆側である。そして「左」、「右」とは、操作部に対して作業者が向き合った際の作業者にとっての向きである。
【００２０】
本実施形態のフィルタ再生装置１００は、図１、図２に示す筐体本体部１０１を備えている。筐体本体部１０１は縦長型であって、設置面積が小さくて済むため、狭い場所にも設置することができる。筐体本体部１０１の前側上部には、操作部１０２が傾斜して設けられていて、作業者は立った状態で各種の操作を行うことができる。更に筐体本体部１０１には、タイヤ１０３、ハンドル１０４が設けられている。このため本実施形態のフィルタ再生装置１００は、任意の場所に移動して使用することができる。なおフィルタ再生装置１００は、図１に示すような１台だけの状態のみならず、図３に示すように複数台を横並びにして使用することも可能である。
【００２１】
また筐体本体部１０１の上部は、再生するパティキュレートフィルタ（図４、図５において符号Ｆを付して示す）が取り付けられるように構成されている。なお、パティキュレートフィルタＦを取り付ける構成については後述する。また、筐体本体部１０１の下部には、図示は省略するが、フィルタ再生装置１００を作動させるために必要な各種の付帯設備（電源、制御ボックス、エアポンプ等）が備えられている。そして筐体本体部１０１における上部と下部の間には、図示したようにトレイ１０５が設けられている。トレイ１０５は、パティキュレートフィルタＦを加熱することでパティキュレートフィルタＦから落下するアッシュ（灰分）を受け取るものである。本実施形態のトレイ１０５は、フィルタ再生装置１００の前後で２つに分割されていて、前方と後方にそれぞれ引き出すことによって、受け取ったアッシュを取り除くことができる。なお、筐体本体部１０１の下部は、トレイ１０５に対して閉鎖されていて、パティキュレートフィルタＦから落下したアッシュが付帯設備を設けたエリアに直接入り込まないようにしている。また筐体本体部１０１の前方には、外気を取り込んでフィルタ再生装置１００の温度上昇を抑制するファン１０６が設けられている。なお、ファン１０６による外気の取り込みについては後述する。
【００２２】
ここで、パティキュレートフィルタＦについて説明する。パティキュレートフィルタＦは、例えばディーゼルエンジン等の機器に取り付けられ、この機器から排出される排気ガスから粒子状物質を捕集するものである。なお、パティキュレートフィルタＦが取り付けられる機器は種々のものが含まれ、例えばガソリンエンジン等のように他の内燃機関でもよいし、外燃機関でもよい。またコーヒー焙煎装置等でもよい。
【００２３】
本実施形態のパティキュレートフィルタＦは、図４、図５に示すように、円筒状をなすとともに上下に内向きフランジを有するケース本体部Ｆ１と、ケース本体部Ｆ１の一端側（図示の例では下側）に位置し、円環状をなすとともに下端部に外向きフランジを有するケース一端部Ｆ２と、ケース本体部Ｆ１の他端側（図示の例では上側）に位置し、円環状をなすとともに上端部に外向きフランジを有するケース他端部Ｆ３とを備えている。なお、ケース他端部Ｆ３の外側には、パティキュレートフィルタＦを持ち運ぶ際に使用する持ち手Ｆ４（図４参照）が設けられている。また本実施形態のケース本体部Ｆ１、ケース一端部Ｆ２、ケース他端部Ｆ３、及び持ち手Ｆ４は金属製である。そしてケース本体部Ｆ１の内部には、粒子状物質を捕集する機能を発揮するフィルタ本体部Ｆ５が設けられている。フィルタ本体部Ｆ５としては、例えば目封じタイプ、多孔体タイプ、繊維タイプなど種々のものがあるが、上述した機能を発揮するものであれば何れのタイプでも使用可能である。ここで目封じタイプとは、例えばセラミック等の材料で構成されるものであり、隔壁によって区画されてハニカム構造のように並ぶ複数のセルを有していて、そのセルの一端部及び他端部が１セルずつ交互に（市松模様状に）塞がれている形態をなすものである。このような目封じタイプでは、排気ガスが壁を通過するときに粒子状物質を捕集する。また多孔体タイプ、繊維タイプは、例えば金属等の材料で構成されるものであり、排気ガスが多孔体又は繊維の構成体に衝突することで粒子状物質を捕集する。
【００２４】
このようなパティキュレートフィルタＦは、筐体本体部１０１の上部に取り付けられる。ここで、図４、図５に示すように筐体本体部１０１の内側には、ヒータ１０７が設けられている。本実施形態のヒータ１０７は、電気を供給すると発熱するものであって、この熱を伝導や輻射等によって伝えてパティキュレートフィルタＦを加熱する。また図示したヒータ１０７は、平面上で螺旋状に巻かれた形状をなす発熱体を平面視で十字状をなすフレームで固定したものであるが、例えばＳ字状や格子状など、他の形状に形成した発熱体を利用するものでもよく、またフレームも種々の形状のものが採用可能である。そしてヒータ１０７の中央部分には、ヒータ１０７の周辺における温度を検知する温度センサ１０８が設けられている。これにより、ヒータ１０７が所定の温度で保たれるように電力供給を制御したり、温度が過度に上昇した際は警告を表示、或いは電力を停止したりすることができる。またヒータ１０７の下方には、上方に向けて空気を送り込んでヒータ１０７の発熱体の隙間を通過させ、ヒータ１０７の熱をパティキュレートフィルタＦに伝えるエア供給路が設けられている。そしてヒータ１０７の径方向外側には、ドーナツ板状をなす銅製のガスケット１１０が設けられている。そしてパティキュレートフィルタＦは、ケース一端部Ｆ２の円環状部分でヒータ１０７を取り囲むとともに、ケース一端部Ｆ２の外向きフランジ部分がガスケット１１０に当接するようにして、筐体本体部１０１に載置される。換言すると、パティキュレートフィルタＦは、フィルタ本体部Ｆ５の下端部がヒータ１０７に対向する姿勢で筐体本体部１０１に載置される。
【００２５】
そして筐体本体部１０１は、図４、図５に示すように上部開口１１１を備えている。また筐体本体部１０１は、図５に示すように上部開口１１１を覆うとともに、ヒンジ１１２を介して筐体本体部１０１に連結する筐体カバー部１１３を備えている。なお図４、図５は、上部開口１１１を筐体カバー部１１３で閉じた状態を示している。筐体カバー部１１３の中央部には、後述する排出筒（符号１１８）を挿通させるための排出筒用開口１１４が設けられている。また、図４に示すように排出筒用開口１１４の外側には、一対のブラケット１１５が設けられている。ブラケット１１５はＬ字状をなしていて、水平方向部分は筐体カバー部１１３に固定される一方、垂直方向部分は上方に向けて起立している。そしてブラケット１１５の垂直方向部分には、図５に示すような穴部１１６が設けられている。穴部１１６は、紡錘形をなすものであって、横方向よりも縦方向の内寸が長くなっている。また、穴部１１６の上端縁部と下端縁部は図示のように半円状に形成されているが、上端縁部よりも下端縁部の内径の方が小さくなっている。
【００２６】
そして筐体カバー部１１３の内側には、内側カバー部１１７が設けられている。内側カバー部１１７は、有蓋筒状をなすとともに下端部には外向きフランジを設けた形態になるものである。内側カバー部１１７の中央部には、円筒状をなす排出筒１１８が設けられている。なお排出筒１１８は、パティキュレートフィルタＦを加熱した際の燃焼ガスを、上部の開口（排出口１１９）から内側カバー部１１７の外側に排出するものである。排出筒１１８の上下方向中間部分には、円柱状をなすとともに穴部１１６に挿通される軸部１２０が一対設けられている。ここで軸部１２０における穴部１１６に挿通される部分の外径（軸部１２０の外寸）は、穴部１１６における縦方向の内寸よりも小さくなっている。また、図５の部分拡大図に示すように、穴部１１６の下端縁部における半円状の内径に対し、軸部１２０の外径は、ほぼ同じか若干小さくなっている。このような構成によって、内側カバー部１１７は筐体カバー部１１３に対して上下動可能に支持され、また軸部１２０が穴部１１６の下端縁部に係合することで、内側カバー部１１７は筐体カバー部１１３に対して揺動可能に支持される。なお、図４、図５に示すように筐体カバー部１１３を閉じた状態において、内側カバー部１１７は、パティキュレートフィルタＦのケース他端部Ｆ３に載置される。そして内側カバー部１１７の上面において、軸部１２０よりも後方には、筐体カバー部１１３の下面に向けて起立するストッパー１２１が設けられている。なおストッパー１２１は、筐体本体部１０１に対して筐体カバー部１１３を揺動させて上部開口１１１を開いた際に、筐体カバー部１１３に対する内側カバー部１１７の傾きを規制するものである。
【００２７】
内側カバー部１１７の内側には、複数本の支柱１２２を介して内側カバー部１１７に取り付けられる内側蓋部１２３が設けられている。本実施形態の内側蓋部１２３は全体的に円板状となるものであって、例えばグラスウールやセラミックファイバー等により形成される断熱材と、断熱材を挟んで上下に設けられる金属製板とで構成されている。図４、図５に示すように内側蓋部１２３は、筐体カバー部１１３を閉じた状態でパティキュレートフィルタＦにおけるフィルタ本体部Ｆ５の上端部に対向する。また、内側蓋部１２３の外側縁部とケース他端部Ｆ３との間、及び内側蓋部１２３の上部と排出筒１１８の下部との間には、隙間があいている。これによりパティキュレートフィルタＦを加熱した際の燃焼ガスは、内側蓋部１２３の外側縁部とケース他端部Ｆ３との隙間、内側蓋部１２３の上部と内側カバー部１１７の下部との間の空間、及び内側蓋部１２３の上部と排出筒１１８の下部との隙間を通り、排出筒１１８の内部を通過して排出口１１９から排出される。なお、上述した内側蓋部１２３の上部と内側カバー部１１７の下部との間の空間、及び内側蓋部１２３の上部と排出筒１１８の下部との隙間をまとめて、排気路と称する。
【００２８】
そして筐体カバー部１１３の上側には、ブラケット１１５や排出筒１１８を取り囲むとともに、上方には外界に通じる開口を設けた上部カバー部１２４が設けられている。これにより、作業者が不用意にブラケット１１５や排出筒１１８に触れてしまうことを防止することができる。
【００２９】
なお、本実施形態のフィルタ再生装置１００は、パティキュレートフィルタＦを取り囲む筒状の第一隔壁部１２５と、図５に示すように第一隔壁部１２５よりも前方に設けられ、パティキュレートフィルタＦと操作部１０２（図１参照）とを隔てる第二隔壁部１２６とを備えている。このような第一隔壁部１２５を設けることによって、ヒータ１０７の熱が第一隔壁部１２５の外側に逃げにくくなるため、パティキュレートフィルタＦを効果的に加熱することができる。また、筐体本体部１０１の外周壁が熱くなる等の不具合も防止される。更に操作部１０２は、第二隔壁部１２６によってもヒータ１０７から隔てられているうえ、上述したファン１０６によって外気が取り込まれるため、ヒータ１０７の熱による影響を更に低減させることができる。なお図示は省略するが、第二隔壁部１２６には、第一隔壁部１２５に対して左右方向の外側において、局所的に開口が設けられている。このため、ファン１０６によって取り込まれた外気は、第一隔壁部１２５に直接あたることなく、第一隔壁部１２５と筐体本体部１０１の外周壁との間に送り込まれる。このため、パティキュレートフィルタＦの温度は維持したままで、ヒータ１０７の熱は筐体本体部１０１の外周壁により伝わり難くなる。
【００３０】
次に、このような構造になるフィルタ再生装置１００の使用方法について説明する。フィルタ再生装置１００によってパティキュレートフィルタＦの再生を行うにあたっては、筐体カバー部１１３を後方に向けて大きく開いた後、ディーゼルエンジン等の機器から取り外したパティキュレートフィルタＦを上部開口１１１から筐体本体部１０１の内側に挿入する。そして、ケース一端部Ｆ２がガスケット１１０の上面に載せ置かれるようにして、パティキュレートフィルタＦを筐体本体部１０１に載置する。その後は、図６に示すように筐体カバー部１１３を前方に向けて揺動させる。なお、内側カバー部１１７は、軸部１２０が穴部１１６の下端縁部に係合していて、筐体カバー部１１３に対して揺動可能に支持されているが、筐体カバー部１１３を大きく開いた状態でも、また図６に示すように筐体カバー部１１３を閉じている途中でも、ストッパー１２１は筐体カバー部１１３の下面に当接したままである。すなわち、筐体カバー部１１３を開閉する最中に内側カバー部１１７が大きく傾くことはなく、内側カバー部１１７が他の部材に衝突する等の不具合が生じることはない。
【００３１】
そして筐体カバー部１１３を更に閉じていき、図７に示すように筐体カバー部１１３が上部開口１１１を閉じ終わる直前になると、内側カバー部１１７は、ストッパー１２１が筐体カバー部１１３の下面から離れて水平姿勢を保つように揺動し、その後ケース他端部Ｆ３に載置される。なお、製造時における寸法のばらつき等によってパティキュレートフィルタＦの大きさには個体差があるが、内側カバー部１１７は筐体カバー部１１３に対して揺動可能且つ上下動可能に支持されているため、この支持構造でもって、パティキュレートフィルタＦの大きさの違いを吸収することができる。このため、筐体カバー部１１３が最後まで閉じなかったり、ケース他端部Ｆ３と内側カバー部１１７の間に隙間が生じたりすることはない。
【００３２】
このようにしてパティキュレートフィルタＦの取り付けが終了した後は、ヒータ１０７に電気を供給してパティキュレートフィルタＦを加熱する。これにより、パティキュレートフィルタＦで採取した粒子状物質は酸化、燃焼されてアッシュとなってパティキュレートフィルタＦから落下し、パティキュレートフィルタＦから取り除かれる。なお、内側カバー部１１７の内部に設けられた内側蓋部１２３は、フィルタ本体部Ｆ５の上端部に対向しているため、ヒータ１０７で加熱した際の放熱を抑制することができる。特に本実施形態の内側蓋部１２３は断熱材を含んでいるため、放熱が更に抑制されて粒子状物質をより効果的に燃焼することができる。
【００３３】
以上、本発明に従うフィルタ再生装置の一実施形態について説明したが、本実施形態は一例に過ぎず、本発明には特許請求の範囲に従う範疇で種々の変更を加えたものも含まれる。例えば本実施形態においては、排出筒１１８に軸部１２０を設けるとともにブラケット１１５に穴部１１６を設けたが、軸部１２０をブラケット１１５に設けるとともに穴部１１６を排出筒１１８に設けてもよい。またストッパー１２１は、内側カバー部１１７に設けられて筐体カバー部１１３の下面に当接するものであったが、筐体カバー部１１３の内部に設けて内側カバー部１１７の上面に当接するように構成してもよい。
【００３４】
また本発明に従うフィルタ再生装置は、図８に示す実施形態で具現化することも可能である。図８（ａ）に示す実施形態では、内側蓋部１２３に替えて第二ヒータ１２７を設けるとともに、第二ヒータ１２７の上部には開口付きプレート１２８を設けている。本実施形態の第二ヒータ１２７は、上述したヒータ１０７と同様に平面上で螺旋状に巻かれた形状をなす発熱体を平面視で十字状をなすフレームで固定したものであるが、第二ヒータ１２７もＳ字状や格子状など、他の形状に形成した発熱体を利用することができ、またフレームも種々の形状のものが採用可能である。また第二ヒータ１２７の中央部分には、第二ヒータ１２７の周辺における温度を検知する温度センサ１２９が設けられている
【００３５】
図８（ａ）に示すフィルタ再生装置によれば、ヒータ１０７での加熱に加えて第二ヒータ１２７でもパティキュレートフィルタＦを加熱することができるため、パティキュレートフィルタで捕集した粒子状物質をより効率的に燃焼させることができる。また、ヒータ１０７で加熱することによって排出される燃焼ガスが、第二ヒータ１２７における発熱体の隙間、及び開口付きプレート１２８を通過して排出筒１１８から排気される際、第二ヒータ１２７で再加熱してガスに含まれる白煙や臭いの原因の成分を燃焼させることができるため、排出ガスが白煙となったり臭いを伴ったりする不具合を抑制することができる。なお、開口付きプレート１２８を設けずに第二ヒータ１２７のみとしてもよく、この場合も同様の効果を得ることができる。
【００３６】
図８（ｂ）は、開口付きプレート１２８に替えて開口を持たないプレート１３０を使用したものである。このフィルタ再生装置によっても、ヒータ１０７で加熱することによって排出される燃焼ガスが、第二ヒータ１２７を回り込むようにして、ケース他端部Ｆ３の内側、プレート１３０の上部と内側カバー部１１７の下部との間の空間、及びプレート１３０の上部と排出筒１１８の下部との隙間を通って排出筒１１８から排気される際、第二ヒータ１２７で再加熱されるため、ガスに含まれる白煙や臭いの原因の成分を燃焼させることができる。またプレート１３０によって、放熱が抑制されるため、燃焼効率を高めることができる。なお、プレート１３０に断熱材を組み合わせれば、燃焼効率を更に高めることができる。
【００３７】
なお、燃焼ガスの白煙や臭いは、排出筒１１８の内側にヒータを設けることによっても低減することが可能である。
【符号の説明】
【００３８】
１００：フィルタ再生装置
１０１：筐体本体部
１０７：ヒータ
１１１：上部開口
１１２：ヒンジ
１１３：筐体カバー部
１１４：排出筒用開口
１１５：ブラケット
１１６：穴部
１１７：内側カバー部
１１８：排出筒
１１９：排出口
１２０：軸部
１２１：ストッパー
１２３：内側蓋部
１２７：第二ヒータ（他のヒータ）
Ｆ：パティキュレートフィルタ
【図１】
2019190455.tif 000003
【図２】
2019190455.tif 000004
【図３】
2019190455.tif 000005
【図４】
2019190455.tif 000006
【図５】
2019190455.tif 000007
【図６】
2019190455.tif 000008
【図７】
2019190455.tif 000009
【図８】
2019190455.tif 000010